(57)【要約】【課題】簡単な構造でヘッドレストをシートバックの背面に体裁良く収納できるようにする。【解決手段】シートバック１２の上面１２ａから取り外したヘッドレスト１３をシートバック１２の背面１２ｃに収納すべく、シートバック１２の背面１２ｃに設けたバックポケット２０の表皮部材２１の内面に２個のループ状のステー固定手段２２を設け、これらのステー固定手段２２にヘッドレスト１３の２本のステー１９を挿入して固定する。シートバック１２を後方にリクライニングしたときにヘッドレスト１３が脱落しないように、一端がバックポケット２０の表皮部材２１に固定され、他端がシートバック１２の背面１２ｃ上部に面ファスナー２９，３０で係止可能なシート状のヘッドレストホルダ２７を設け、ヘッドレスト１３を下方から包むように支持する。【選択図】      図７
2004255895.tif 000002
【特許請求の範囲】
【請求項１】
シートバック（１２）の上面（１２ａ）から取り外したヘッドレスト（１３）をシートバック（１２）の背面（１２ｃ）に収納するヘッドレストの収納構造において、
シートバック（１２）の背面（１２ｃ）に形成したバックポケット（２０）の内面に、ヘッドレスト（１３）のステー（１９）を挿入して固定するステー固定手段（２２）を備えたことを特徴とするヘッドレストの収納構造。
【請求項２】
前記ステー固定手段（２２）は可撓性を有する帯状シート部材（２３）の両端をバックポケット（２０）の表皮部材（２１）の内面に固定してなり、ステー固定手段（２２）の不使用時に帯状シート部材（２３）は面ファスナー（２５，２６）により偏平形状に折り畳まれることを特徴とする、請求項１に記載のヘッドレストの収納構造。
【請求項３】
前記ステー固定手段（２２）はステー挿入孔（３１ｂ）を有する合成樹脂部材（３１）であり、ステー固定手段（２２）の不使用時に合成樹脂部材（３１）のステー挿入孔（３１ｂ）は自己の弾性で偏平形状に潰れていることを特徴とする、請求項１に記載のヘッドレストの収納構造。
【請求項４】
一端がバックポケット（２０）の表皮部材（２１）の内面に固定され、他端がシートバック（１２）の背面（１２ｃ）上部に係止可能なシート状のヘッドレストホルダ（２７）を備えたことを特徴とする、請求項１〜請求項３の何れか１項に記載のヘッドレストの収納構造。
【請求項５】
ヘッドレストホルダ（２７）の他端は面ファスナー（２９，３０）でシートバック（１２）の背面（１２ｃ）上部に係止可能であることを特徴とする、請求項４に記載のヘッドレストの収納構造。
【発明の詳細な説明】
【０００１】
【発明の属する技術分野】
本発明は、シートバックの上面から取り外したヘッドレストをシートバックの背面に収納するヘッドレストの収納構造に関する。
【０００２】
【従来の技術】
ヘッドレストをシートバックの背面あるいは前面に収納する構造が下記特許文献１〜４により公知である。
【０００３】
特許文献１に記載されたものは、シートバックの上端に対してヘッドレストの下端を前後揺動自在に軸支してロック機構で固定し、ロック機構を解除してヘッドレストを後方に揺動させることで、シートバックの上部背面に形成した凹部に収納するようになっている。
【０００４】
また特許文献２に記載されたものは、モータおよびラック・ピニオン機構を用いてシートバックに対してヘッドレストを昇降可能にし、ヘッドレストを下降させてシートバックの上部背面に形成した凹部に収納するようになっている。
【０００５】
また特許文献３に記載されたものは、シートバックから取り外した２個のヘッドレストをコンパクトに組み合わせた状態で、シートバックの背面に着脱自在に設けたネットの内部に収納するようになっている。
【０００６】
また特許文献４に記載されたものは、助手席のシートバックから取り外したヘッドレストを、そのシートバックの前面に着脱自在に設けた容器の内部に収納するようになっている。
【０００７】
【特許文献１】
特開平６−２９７９８９号公報
【特許文献２】
特開平８−８４６３５号公報
【特許文献３】
特開平９−１０８０６７号公報
【特許文献４】
実用新案登録第３０７７１４３号公報
【０００８】
【発明が解決しようとする課題】
ところで、特許文献１および特許文献２に記載されたものは、その構造が複雑であるためにコストアップの要因となるだけでなく、シートバックに凹部を形成するために該シートバックの強度が低下する問題があった。また特許文献３に記載されたものは、ネットが直接目視可能であるために美観を損ねるという問題があった。また特許文献４に記載されたものも、助手席のシートバックの前面に大型の容器を装着するために美観を損ねるという問題があった。
【０００９】
本発明は前述の事情に鑑みてなされたもので、簡単な構造でヘッドレストをシートバックの背面に体裁良く収納できるようにすることを目的とする。
【００１０】
【課題を解決するための手段】
上記目的を達成するために、請求項１に記載された発明によれば、シートバックの上面から取り外したヘッドレストをシートバックの背面に収納するヘッドレストの収納構造において、シートバックの背面に形成したバックポケットの内面に、ヘッドレストのステーを挿入して固定するステー固定手段を備えたことを特徴とするヘッドレストの収納構造が提案される。
【００１１】
上記構成によれば、シートバックの背面に形成したバックポケットの内面にステー固定手段を設け、シートバックの上面から取り外したヘッドレストのステーをステー固定手段に挿入して固定するので、極めて簡単な構造でヘッドレストをシートバックの背面に収納することができる。しかもステー固定手段がバックポケットに隠れて外部から目視できないために外観が低下することがなく、またシートバックにヘッドレストを収納する凹部を形成する必要がないので強度が低下する虞もない。
【００１２】
また請求項２に記載された発明によれば、請求項１の構成に加えて、前記ステー固定手段は可撓性を有する帯状シート部材の両端をバックポケットの表皮部材の内面に固定してなり、ステー固定手段の不使用時に帯状シート部材は面ファスナーにより偏平形状に折り畳まれることを特徴とするヘッドレストの収納構造が提案される。
【００１３】
上記構成によれば、可撓性を有する帯状シート部材の両端をバックポケットの表皮部材の内面に固定してステー固定手段を構成し、ステー固定手段の不使用時に帯状シート部材を面ファスナーで偏平形状に折り畳むので、バックポケットに出し入れする物品がステー固定手段と干渉し難くなって使い勝手が向上する。
【００１４】
また請求項３に記載された発明によれば、請求項１の構成に加えて、前記ステー固定手段はステー挿入孔を有する合成樹脂部材であり、ステー固定手段の不使用時に合成樹脂部材のステー挿入孔は自己の弾性で偏平形状に潰れていることを特徴とするヘッドレストの収納構造が提案される。
【００１５】
上記構成によれば、ステー挿入孔を有する合成樹脂部材をバックポケットの表皮部材の内面に固定してステー固定手段を構成し、ステー固定手段の不使用時に合成樹脂部材のステー挿入孔は自己の弾性で偏平形状に潰れるので、バックポケットに出し入れする物品がステー固定手段と干渉し難くなって使い勝手が向上する。
【００１６】
また請求項４に記載された発明によれば、請求項１〜請求項３の何れか１項の構成に加えて、一端がバックポケットの表皮部材の内面に固定され、他端がシートバックの背面上部に係止可能なシート状のヘッドレストホルダを備えたことを特徴とするヘッドレストの収納構造が提案される。
【００１７】
上記構成によれば、一端がバックポケットの表皮部材の内面に固定されて他端がシートバックの背面上部に係止可能なシート状のヘッドレストホルダを設けたので、ステー固定手段にステーを固定されたヘッドレストを、ヘッドレストホルダでシートバックの背面との間に包むように支持することができ、シートバックを倒伏させた状態でもヘッドレストの脱落を確実に防止することができる。しかも不使用時にヘッドレストホルダをバックポケットの内部に収納しておけば、ヘッドレストホルダが外部から目視不能になって外観の低下が防止される。
【００１８】
また請求項５に記載された発明によれば、請求項４の構成に加えて、ヘッドレストホルダの他端は面ファスナーでシートバックの背面上部に係止可能であることを特徴とするヘッドレストの収納構造が提案される。
【００１９】
上記構成によれば、ヘッドレストホルダの他端を面ファスナーでシートバックの背面上部に係止するので、その着脱作業が極めて容易である。
【００２０】
【発明の実施の形態】
以下、本発明の実施の形態を、添付図面に示した本発明の実施例に基づいて説明する。
【００２１】
図１〜図８は本発明の第１実施例を示すもので、図１は自動車の前部シートおよび後部シートを示す図（前部シートが起立した状態）、図２は自動車の前部シートおよび後部シートを示す図（前部シートが倒伏した状態）、図３は図１の３方向拡大矢視図、図４は図３の４−４線断面図、図５は図４の５−５線拡大断面図、図６は図３に対応する作用説明図（ヘッドレストを収納した状態）、図７は図６の７−７線断面図、図８は図７の８−８線拡大断面図である。
【００２２】
図１に示すように、自動車は前部シートＳｆおよび後部シートＳｒを備えており、前部シートＳｆはシートクッション１１、シートバック１２およびヘッドレスト１３を備え、後部シートＳｒはシートクッション１４、シートバック１５およびヘッドレスト１６を備える。前部シートＳｆおよび後部シートＳｒのシートバック１２，１５は、何れもシートクッション１１，１４の後端のピボット１７，１８を支点として後方にリクライニング可能である。
【００２３】
図２に示すように、前部シートＳｆのシートバック１２を後方にリクライニングさせ、その上端を後部シートＳｒのシートクッション１４の前端にフラットに連ねるとき、邪魔になる前部シートＳｆのヘッドレスト１３はシートバック１２の上面から取り外され、そのシートバック１２の背面に収納される。
【００２４】
図３〜図８から明らかなように、ヘッドレスト１３は下方に延びる２本のステー１９，１９を備えており、これらのステー１９，１９がシートバック１２の上面１２ａに開口する取付孔１２ｂ，１２ｂに着脱自在に挿入される。シートバック１２の背面１２ｃの下半部には地図や雑誌のような薄手の物品を収納するバックポケット２０が設けられる。バックポケット２０は布、ビニール、皮等で構成したシート状の表皮部材２１を、その左右の側縁および下縁でシートバック１２に縫製することで上縁部２１ａが開放する袋状に形成される。
【００２５】
表皮部材２１の上縁部２１ａの内面に、ヘッドレスト１３の２本のステー１９，１９を固定するための左右一対のステー固定手段２２，２２が設けられる。左右のステー固定手段２２は同一構造であり、布、ビニール、皮等を帯状に切断した帯状シート部材２３の両端を表皮部材２１の内面に縫製２４，２４してなり、帯状シート部材２３の内面と、それに対向する表皮部材２１の内面とにマジックテープ（商品名）のような面ファスナー２５，２６（図５および図８参照）が設けられる。ステー固定手段２２を使用しないとき、面ファスナー２５，２６を係合させておくことで帯状シート部材２３を偏平な形状に保つことができ（図５参照）、バックポケット２０に物品を出し入れする際に邪魔になることがない。
【００２６】
表皮部材２１の上縁部２１ａの内面に、ヘッドレスト１３の左右幅と略同じ幅を有して布、ビニール、皮等で形成されたヘッドレストホルダ２７の一端が縫製２８される（図４参照）。ヘッドレストホルダ２７の他端とシートバック１２の背面１２ｃの上部とに、それぞれ面ファスナー２９，３０が固定される。そして不使用時にヘッドレストホルダ２７をバックポケット２０の内部に収納しておけば、そのヘッドレストホルダ２７が邪魔になったり美観を損ねたりすることがない（図３および図４参照）。
【００２７】
次に、上記構成を備えた本発明の実施例の作用を説明する。
【００２８】
前部シートＳｆをリクライニングするに先立ち、ヘッドレスト１３のステー１９，１９をシートバック１２の取付孔１２ｂ，１２ｂから引き抜いてヘッドレスト１３を取り外す。続いて、バックポケット２０の内部からヘッドレストホルダ２７を外部に引き出した後に、表皮部材２１の内面に設けたステー固定手段２２，２２の帯状シート部材２３，２３を面ファスナー２５，２６を剥がしてループ状に広げ、そこにステー１９，１９を挿入することでヘッドレスト１３をシートバック１２の背面１２ｃに固定する。
【００２９】
続いて、ヘッドレストホルダ２７でヘッドレスト１３を包み、その他端の面ファスナー２９をシートバック１２の背面１２ｃの面ファスナー３０に係止する。その結果、図７に示すようにシートバック１２をリクライニングしても、車両の振動等でヘッドレスト１２のステー１９，１９がステー固定手段２２，２２から抜け落ちるのを確実に防止することができる。しかも、ヘッドレストホルダ２７の他端を面ファスナー２９，３０でシートバック１２の背面１２ｃに固定するので、その着脱作業が極めて容易である。
【００３０】
以上のように、シートバック１２の背面１２ｃに形成したバックポケット２０の表皮部材２１の内面にステー固定手段２２，２２を設けたので、そのステー固定手段２２，２２がバックポケット２０内に隠れて外部から目視できなくなり、外観が低下することがない。またヘッドレスト１３のステー１９，１９をステー固定手段２２，２２に挿入して固定するだけなので、極めて簡単な構造でヘッドレスト１３をシートバック１２の背面１２ｃに収納することができ、しかも操作が極めて容易である。またシートバック１２にヘッドレスト１３を収納する凹部を形成する必要がないため、シートバック１２の強度低下を防止することができる。
【００３１】
尚、ヘッドレストホルダ２７は必ずしも必要ではなく、省略することも可能である。その場合、帯状シート部材２３，２３の寸法をステー１９，１９がきつめに挿入されるように設定しておけば、車両の振動等によってヘッドレスト１３がバックポケット２０から脱落するのを防止することができる。
【００３２】
次に、図９に基づいて本発明の第２実施例を説明する。
【００３３】
上述した第１実施例では、ステー固定手段２２として布、ビニール、皮等の帯状シート部材２３を用いていたが、第２実施例ではステー固定手段２２として軟質の合成樹脂部材３１を単体で用いている。合成樹脂部材３１は固定部３１ａとステー挿入孔３１ｂとを備えており、固定部３１ａが表皮部材２１の上縁部２１ａの内面に縫製３２，３２により固定される。合成樹脂部材３１のステー挿入孔３１ｂは、図９（ｂ）に示すように自由状態で偏平な形状を有しており、その厚さを減ずることでバックポケット２０に物品を出し入れする際に邪魔にならないように考慮されている。そしてヘッドレスト１３のステー１９，１９を挿入する際には、図９（ａ）に示すようにステー挿入孔３１ｂをループ状に広げて使用するようになっている。
【００３４】
この第２実施例においても、第１実施例と同じヘッドレストホルダ２７を用いることでヘッドレスト１３の脱落を確実に防止することができるが、合成樹脂部材３１のステー挿入孔３１ｂを小さめに設計してヘッドレスト１３のステー１９，１９を圧入するようにすれば、ヘッドレストホルダ２７を廃止してもヘッドレスト１３の脱落を防止することができる。
【００３５】
しかして、この第２実施例によっても、上述した第１実施例と同様の作用効果を達成することができる。
【００３６】
以上、本発明の実施例を詳述したが、本発明はその要旨を逸脱しない範囲で種々の設計変更を行うことが可能である。
【００３７】
【発明の効果】
以上のように請求項１に記載された発明によれば、シートバックの背面に形成したバックポケットの内面にステー固定手段を設け、シートバックの上面から取り外したヘッドレストのステーをステー固定手段に挿入して固定するので、極めて簡単な構造でヘッドレストをシートバックの背面に収納することができる。しかもステー固定手段がバックポケットに隠れて外部から目視できないために外観が低下することがなく、またシートバックにヘッドレストを収納する凹部を形成する必要がないので強度が低下する虞もない。
【００３８】
また請求項２に記載された発明によれば、可撓性を有する帯状シート部材の両端をバックポケットの表皮部材の内面に固定してステー固定手段を構成し、ステー固定手段の不使用時に帯状シート部材を面ファスナーで偏平形状に折り畳むので、バックポケットに出し入れする物品がステー固定手段と干渉し難くなって使い勝手が向上する。
【００３９】
また請求項３に記載された発明によれば、ステー挿入孔を有する合成樹脂部材をバックポケットの表皮部材の内面に固定してステー固定手段を構成し、ステー固定手段の不使用時に合成樹脂部材のステー挿入孔は自己の弾性で偏平形状に潰れるので、バックポケットに出し入れする物品がステー固定手段と干渉し難くなって使い勝手が向上する。
【００４０】
また請求項４に記載された発明によれば、一端がバックポケットの表皮部材の内面に固定されて他端がシートバックの背面上部に係止可能なシート状のヘッドレストホルダを設けたので、ステー固定手段にステーを固定されたヘッドレストを、ヘッドレストホルダでシートバックの背面との間に包むように支持することができ、シートバックを倒伏させた状態でもヘッドレストの脱落を確実に防止することができる。しかも不使用時にヘッドレストホルダをバックポケットの内部に収納しておけば、ヘッドレストホルダが外部から目視不能になって外観の低下が防止される。
【００４１】
また請求項５に記載された発明によれば、ヘッドレストホルダの他端を面ファスナーでシートバックの背面上部に係止するので、その着脱作業が極めて容易である。
【図面の簡単な説明】
【図１】自動車の前部シートおよび後部シートを示す図（前部シートが起立した状態）
【図２】自動車の前部シートおよび後部シートを示す図（前部シートが倒伏した状態）
【図３】図１の３方向拡大矢視図
【図４】図３の４−４線断面図
【図５】図４の５−５線拡大断面図
【図６】図３に対応する作用説明図（ヘッドレストを収納した状態）
【図７】図６の７−７線断面図
【図８】図７の８−８線拡大断面図
【図９】本発明の第２実施例に係るステー固定手段を示す図
【符号の説明】
１２          シートバック
１２ａ        上面
１２ｃ        背面
１３          ヘッドレスト
１９          ステー
２０          バックポケット
２１          表皮部材
２２          ステー固定手段
２３          帯状シート部材
２５          面ファスナー
２６          面ファスナー
２７          ヘッドレストホルダ
２９          面ファスナー
３０          面ファスナー
３１          合成樹脂部材
３１ｂ        ステー挿入孔
【図１】
2004255895.tif 000003
【図２】
2004255895.tif 000004
【図３】
2004255895.tif 000005
【図４】
2004255895.tif 000006
【図５】
2004255895.tif 000007
【図６】
2004255895.tif 000008
【図７】
2004255895.tif 000009
【図８】
2004255895.tif 000010
【図９】
2004255895.tif 000011